(57)【特許請求の範囲】
【請求項１】
商品を陳列する貯蔵室内を照明するための蛍光灯を備えて成るショーケースにおいて、
前記貯蔵室内に架設された棚と、該蛍光灯を前記棚に取り付けるためのクリップと、光反射率の高い樹脂薄板にて構成され、前記蛍光灯に対応して当該蛍光灯からの光を反射するための反射板と、該反射板に形成され、前記クリップが貫通する貫通部とを備え、
前記蛍光灯は前記棚下面前部に取り付けられると共に、前記反射板は前記棚前端に設けられたプライスレールにその前端が係合し、前記クリップが前記貫通部を貫通することにより、湾曲した状態で取り付けられることを特徴とするショーケース。
【請求項２】
前記反射板を構成する樹脂薄板表面は、光を乱反射させることを特徴とする請求項１のショーケース。
【発明の詳細な説明】
【０００１】
【発明の属する技術分野】
本発明は、低温ショーケース等の如く、商品を陳列するための貯蔵室内を照明する蛍光灯を備えたショーケースに関するものである。
【０００２】
【従来の技術】
従来よりこの種低温ショーケースにおいては、例えば特開平５−１１８７３９号公報に示される如く前面に開放する貯蔵室内に商品陳列用の棚が取り付けられており、各棚の下面前部及び貯蔵室の開口上部には、貯蔵室内を照明するための蛍光灯がそれぞれ取り付けられている。
【０００３】
また、各蛍光灯の上側には例えば白色に塗装された鋼板製の反射板が取り付けられている。この反射板は複数箇所を屈曲されることにより、蛍光灯の上方を略囲繞するように設けられ、蛍光灯から発せられた光のうち上方に向かう光を下方に向けて反射させる。これにより、下方の各棚上の商品をより明るく照明できるようにしていた。
【０００４】
【発明が解決しようとする課題】
しかしながら、従来用いられていたこのような反射板は、前述の如く屈曲された鋼板表面を白色塗装するなどにより構成されていたため、その光反射効率にはどうしても限界があった。
【０００５】
本発明は、係る従来の技術課題を解決するために成されたものであり、簡単な構成により蛍光灯からの光を有効に反射させて貯蔵室内の照明効率を改善したショーケースを提供するものである。
【０００６】
【課題を解決するための手段】
本発明のショーケースは、商品を陳列する貯蔵室内を照明するための蛍光灯を備えて成るものであって、貯蔵室内に架設された棚と、この蛍光灯を棚に取り付けるためのクリップと、光反射率の高い樹脂薄板にて構成され、蛍光灯に対応して当該蛍光灯からの光を反射するための反射板と、この反射板に形成され、クリップが貫通する貫通部とを備え、蛍光灯は棚下面前部に取り付けられると共に、反射板は棚前端に設けられたプライスレールにその前端が係合し、クリップが貫通部を貫通することにより、湾曲した状態で取り付けられることを特徴とする。
【０００７】
本発明によれば、商品を陳列する貯蔵室内を照明するための蛍光灯を備えて成るショーケースにおいて、蛍光灯に対応して当該蛍光灯からの光を反射するための反射板を備え、この反射板を光反射率の高い樹脂薄板にて構成したので、従来構造に比較して蛍光灯からの光を反射板により効率的に反射し、貯蔵室内の照明効果を向上させることができるようになる。
【０００８】
また、反射板は樹脂薄板であるため、蛍光灯への電線などを損傷する危険性も少なく、組立時の取り扱いも容易となるものである。
【００１０】
特に、貯蔵室内に架設された棚と、この蛍光灯を棚に取り付けるためのクリップと、光反射率の高い樹脂薄板にて構成され、蛍光灯に対応して当該蛍光灯からの光を反射するための反射板と、この反射板に形成され、クリップが貫通する貫通部とを備え、蛍光灯は棚下面前部に取り付けられると共に、反射板は棚前端に設けられたプライスレールにその前端が係合し、クリップが貫通部を貫通することにより、湾曲した状態で取り付けられるようにしたので、蛍光灯を取り付けるためのクリップを利用して反射板を固定することができるようになり、反射板を固定するための格別な取付具が不要となるものである。
【００１１】
請求項２の発明のショーケースは、上記において反射板を構成する樹脂薄板表面は、光を乱反射させることを特徴とする。
【００１２】
請求項２の発明によれば、上記に加えて反射板を構成する樹脂薄板表面は、光を乱反射させるので、反射効率がより一層向上すると共に、反射による光の色の変化も無くなり、商品を陳列する上での照明効果も改善されるものである。
【００１３】
【発明の実施の形態】
次に、図面に基づき本発明の実施形態を詳述する。図１は本発明を適用したショーケースの実施例としての低温ショーケース１の斜視図、図２は当該低温ショーケース１の縦断側面図をそれぞれ示している。実施例の低温ショーケース１は、断面略コ字状の断熱壁２と、この断熱壁２の両側に取り付けられた側板３、３とから構成されている。断熱壁２の内側にはそれぞれ間隔を存して仕切板４及び図示しないもう一枚の仕切板が取り付けられ、これら仕切板４などと断熱壁２間に図示しない内外二層のダクトが形成されている。
【００１４】
内側の仕切板４を構成する背部仕切板１０の下端前方にはデッキパンと称される底板９が断熱壁２の底壁２Ａとの間にダクト用の間隔を存して取り付けられており、これら仕切板４及び底板９の内側を商品陳列用の貯蔵室１１としている。また、この貯蔵室１１内には、商品陳列用の棚３２が架設されている。この棚３２は、後端が図示しない支柱に対して着脱可能に係合するブラケット３１に保持され、貯蔵室１１内にて上下複数段設けられている。
【００１５】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には内層吸込口１８と外層吸込口１９が並設されている。
【００１６】
一方、底板９下方後部には断熱壁２の底壁２Ａ上に前記内層ダクト及び前記外層ダクトのそれぞれに対応する図示しない送風機が複数台設置されている。
【００１７】
背部仕切板１０後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００１８】
一方、前記外層ダクトに対応した送風機が運転されると外層ダクト内の空気は外層ダクト内を上昇せられ、外層吐出口１７より外層吸込口１９に向かって吐出される。そして、外層吸込口１９から吸い込まれた空気は再び前記送風機によって加速される。これによって、開口１２には前後二重のエアーカーテンが形成され、内側の冷気エアーカーテンの一部が貯蔵室１１内に循環されて貯蔵室１１は冷却される。
【００１９】
また、断熱壁２の天壁２Ｂ前端にはパネル３３が取り付けられており、このパネル３３の前面には温度計３８が設けられている。
【００２０】
次に、図３乃至図５を参照して前記棚３２について説明する。棚３２は、前縁を下方に略垂直に折曲して構成された前壁４０と、この前壁４０の下端から略直角に後方に折曲された後向きのフランジ４１と、後縁において下方に折曲された後壁４２と、この後壁４２の下端から前方に折曲された前向きのフランジ４３とを有する塗装鋼板４４と、この塗装鋼板４４の左右両側縁下面に沿って溶接固定され、ブラケット３１に載置される左右一対の鋼板製第一補強材４５と、両第一補強材４５間に位置するよう前記塗装鋼板４４の長手方向の下面に沿って溶接固定された鋼板製第二補強材４６とから成るものである。
【００２１】
５０は棚３２のフランジ４１に係合して棚３２の前端に沿って取り付けられ、この棚３２の装飾体を兼用するプライスレールであり、硬質合成樹脂により成形されている。係るプライスレール５０と棚３２の前壁４０間には商品落下防止用のガード４８が挿入され、立設保持されると共に、プライスレール５０の下部には後下方に突出する突起５１が一体に形成されている。
【００２２】
また、棚３２の前部の第二補強材４６の前側には蛍光灯５２が左右に渡って取り付けられると共に、貯蔵室１１の天井部及び前記パネル３３内にも蛍光灯５２が取り付けられている。各蛍光灯５２はその下方の棚３２上や底板９上などの貯蔵室１１内を照明するための照明灯であり、特に棚３２に取り付けられるものは図３、図４に示す如く第二補強材４６の前面に着脱可能に係合する楔部５３Ａを備えたクリップ５３によって棚３２の下面前部に取り付けられている。
【００２３】
更に、第二補強材４６の後面下部には薄板鋼板などから成る取付具５４が取り付けられ、第二補強材４６の下端から下方に突出している。そして、この取付具５４の下端は前側に少許折曲され、そこに係合フランジ５４Ａが構成されている。
【００２４】
そして、前記プライスレール５０の突起５１と取付具５４の係合フランジ５４Ａ間には、本発明に係る反射板５６が嵌合して取り付けられる。この反射板５６は、白色の発泡ＰＥＴ樹脂薄板（例えば、古河電気工業株式会社製「ＭＣＰＥＴ」（商品名）など）から構成されており、光の反射率は９８％以上と云う高い値である。また、その表面は微細な凹凸を有し、光が乱反射する特性とされている。
【００２５】
係る反射板５６の前端は前述のプライスレール５０の突起５１に当接し、蛍光灯５２の上側をその可撓性により湾曲しながら通過した後、後端が取付具５４の係合フランジ５４Ａに当接して両者間に嵌合することにより、左右に渡る蛍光灯５２の全域上側に対応して取り付けられている。尚、天井部及びパネル３３の蛍光灯５２の上側にも同様の反射板５６が同様の構造で設けられている。
【００２６】
このような構成により、蛍光灯５２が点灯されると、蛍光灯５２から発せられた光のうち下方に向かうものはそのままその下方の棚３２上などを照明する。一方、蛍光灯５２から上方に向かう光は、反射板５６に反射して下方に向かい、下方の棚３２上などを合わせて照明するようになる。
【００２７】
この場合、反射板５６は光反射率の高い発泡ＰＥＴ樹脂薄板にて構成されているので、従来の如く白色の塗装折曲鋼板にて反射板を構成したものに比較して蛍光灯５２からの光を効率的に反射し、棚３２上などの貯蔵室１１内の照明効果を向上させることができるようになる。また、反射板５６は樹脂薄板であるため、蛍光灯５２への給電線などを損傷する危険性も少なく、組立時の取り扱いも容易である。
【００２８】
特に、反射板５６を構成する発泡ＰＥＴ樹脂薄板の表面は、光を乱反射させるので、反射効率がより一層向上すると共に、反射による光の色の変化も無くなり、商品を陳列する上での照明効果も改善される。
【００２９】
更に、反射板５６は棚３２の前端に設けられたプライスレール５０と蛍光灯５２の後方に位置する取付具５４間に渡り、湾曲した状態で嵌合されるようにしたので、樹脂薄板である反射板５６の可撓性を利用して容易に取り付け、且つ、蛍光灯５２に対応した湾曲する反射面を形成することが可能となる。また、取付具５４の寸法を下方に延長すれば、反射板５６の面積を拡張しても確実に保持することができる効果もある。
【００３０】
次に、図６乃至図８は反射板５６のもう一つの取付形態を示している。尚、各図中図１乃至図４と同一符号は同一のものとする。この場合、反射板５６は同様に白色の発泡ＰＥＴ樹脂薄板から構成されているが、前記クリップ５３の楔部５３Ａに対応する位置に貫通部としての矩形状の透孔５８・・が形成されている。そして、反射板５３を取り付ける際には、先ず前端を前述同様にプライスレール５０の突起５１に係合させ、後部を第二補強材４６前面に宛った状態で、クリップ５３の楔部５３Ａを透孔５８に差し込みながら当該第二補強材４６に取り付ける。
【００３１】
これにより、クリップ５３の取り付けと同時に反射板５３も第二補強材４６に固定されるようになり、反射板５６を固定するための前述の如き格別な取付具５４が不要となる。
【００３２】
尚、天井部やパネル３３の蛍光灯５２も前記棚３２の蛍光灯５２と同様の取付方法で取り付けられており、反射板５６も同様にその上側に対応して取り付けられているものとする。また、実施例では低温ショーケースを例にとって説明したが、それに限らず、非冷のショーケースや加温するものでも本発明は有効である。
【００３３】
【発明の効果】
以上詳述した如く本発明によれば、商品を陳列する貯蔵室内を照明するための蛍光灯を備えて成るショーケースにおいて、蛍光灯に対応して当該蛍光灯からの光を反射するための反射板を備え、この反射板を光反射率の高い樹脂薄板にて構成したので、従来構造に比較して蛍光灯からの光を反射板により効率的に反射し、貯蔵室内の照明効果を向上させることができるようになる。
【００３４】
また、反射板は樹脂薄板であるため、蛍光灯への電線などを損傷する危険性も少なく、組立時の取り扱いも容易となるものである。
【００３５】
特に、貯蔵室内に架設された棚と、この蛍光灯を棚に取り付けるためのクリップと、光反射率の高い樹脂薄板にて構成され、蛍光灯に対応して当該蛍光灯からの光を反射するための反射板と、この反射板に形成され、クリップが貫通する貫通部とを備え、蛍光灯は棚下面前部に取り付けられると共に、反射板は棚前端に設けられたプライスレールにその前端が係合し、クリップが貫通部を貫通することにより、湾曲した状態で取り付けられるようにしたので、蛍光灯を取り付けるためのクリップを利用して反射板を固定することができるようになり、反射板を固定するための格別な取付具が不要となるものである。
【００３６】
請求項２の発明によれば、上記に加えて反射板を構成する樹脂薄板表面は、光を乱反射させるので、反射効率がより一層向上すると共に、反射による光の色の変化も無くなり、商品を陳列する上での照明効果も改善されるものである。
【図面の簡単な説明】
【図１】  本発明を適用した実施例としての低温ショーケースの斜視図である。
【図２】  同低温ショーケースの縦断側面図である。
【図３】  図１の低温ショーケースの棚の側面図である。
【図４】  図３の棚前部の拡大側面図である。
【図５】  図３の棚の斜視図である。
【図６】  反射板の他の実施例の取付形態を採用した棚の側面図である。
【図７】  図６の棚前部の拡大側面図である。
【図８】  図６における反射板の取付手順を説明する反射板とクリップの斜視図である。
【符号の説明】
１  ショーケース
１１  貯蔵室
３１  ブラケット
３２  棚
４０  前壁
４１  フランジ
４６  第二補強材
４８  ガード
５０  プライスレール
５１  突起
５２  蛍光灯
５３  クリップ
５３Ａ  楔部
５４  取付具
５８  透孔
【図１】
0004152063.tif 000002
【図２】
0004152063.tif 000003
【図３】
0004152063.tif 000004
【図４】
0004152063.tif 000005
【図５】
0004152063.tif 000006
【図６】
0004152063.tif 000007
【図７】
0004152063.tif 000008
【図８】
0004152063.tif 000009